【事件の表示】
　特許第２９７６７７３号「反射型液晶表示装置用観察者側電極板」の特許に対する特許異議の申立てについて、次のとおり決定する。
【結　論】
　訂正を認める。
　特許第２９７６７７３号の請求項１ないし３に係る特許を維持する。
【理　由】
１．手続の経緯
　本件は、平成５年９月２８日の出願であって、平成１１年９月１０日にその設定登録がなされ、その後、株式会社 ディスク及び斉藤忠 より特許異議の申立てがなされ、取消理由通知がなされ、その指定期間内である平成１２年９月１４日に訂正請求がなされたものである。
２．訂正の適否についての判断
2．1　訂正の内容
ア．訂正事項ａ
　特許請求の範囲の記載、
「【請求項１】
　矩形状の各画素に対応した複数の電極が基板の画面表示領域内にパターン状に設けられた光反射性背面電極板と、この背面電極板に対向して配置されかつ透明基板の上記画面表示領域に対応する部位に一様に設けられた透明電極を有する観察者側電極板と、これ等の電極板間に封入された液晶物質とを備え、この液晶物質に対し画素毎に電圧を印加して画面表示する反射型液晶表示装置用の上記観察者側電極板において、観察者側電極板を構成する上記透明基板の液晶物質と対向する面側に、透明樹脂と、この透明樹脂中に分散されかつこの透明樹脂と屈折率が異なると共に光学的に等方性を有する微粒子とを主成分とする光散乱層を設けたことを特徴とする反射型液晶表示装置用観察者側電極板。
　【請求項２】
　上記光散乱層が、透過光を着色する着色材を含有することを特徴とする請求項１記載の反射型液晶表示装置用観察者側電極板。
　【請求項３】
　観察者側電極板を構成する透明基板が、上記光散乱層と透過光を着色するカラーフィルター層を具備していることを特徴とする請求項１記載の反射型液晶表示装置用観察者側電極板。」を、
　　　　　　　　　　　　　　　　　　　　　　　　　　　　　　　　　　
「【請求項１】
　矩形状の各画素に対応した複数の電極が基板の画面表示領域内にパターン状に設けられた光反射性背面電極板と、この背面電極板に対向して配置されかつ透明基板の上記画面表示領域に対応する部位に一様に設けられた透明電極を有する観察者側電極板と、これ等の電極板間に封入された液晶物質とを備え、この液晶物質に対し画素毎に電圧を印加して画面表示する反射型液晶表示装置用の上記観察者側電極板において、観察者側電極板を構成する上記透明基板の液晶物質と対向する面側に、透過光を着色するカラーフィルター層と、前記カラーフィルター層を被覆するように設けられ、透明樹脂と、この透明樹脂中に分散されかつこの透明樹脂と屈折率が異なると共に光学的に等方性を有する微粒子とを主成分とする光散乱層と、前記光散乱層を被覆するように設けられた透明電極とを、設けたことを特徴とする反射型液晶表示装置用観察者側電極板。
　【請求項２】
　上記光散乱層が、均一な厚みに形成されていることを特徴とする請求項
１記載の反射型液晶表示装置用観察者側電極板。
　【請求項３】
　上記光散乱層が、界面活性剤を添加されていることを特徴とする請求項１または２記載の反射型液晶表示装置用観察者側電極板。」と訂正する。
イ．訂正事項ｂ
　明細書の【発明の詳細な説明】の欄の段落【０００２】、【０００６】、【０００８】、【０００９】、【００１３】、【００２０】〜【００２６】、【００２８】、【００３０】〜【００３４】、【００３７】、【図面の簡単な説明】の欄の【図２】〜【図７】及び図面を、上記訂正事項ａの訂正に合わせて訂正するものである。
2．2　訂正の目的の適否、新規事項の有無及び拡張・変更の存否
　訂正事項ａは、特許請求の範囲の「観察者側電極板」の層構成を限定するものであり（【請求項１】）、さらにその層構成の内の「光散乱層」の膜厚（【請求項２】）並びに成分（【請求項３】）を限定するものであるから、特許請求の範囲の減縮を目的とするものである。又、訂正事項ｂは、特許請求の範囲の訂正に伴い、これとの整合を図るためのものであるから、明りょうでない記載の釈明に該当する。そして、これらの訂正は、いずれも願書に添付した明細書に記載された事項の範囲内のものであり、実質的に特許請求の範囲を拡張又は変更するものではない。
2．3　むすび
　以上のとおり、本件訂正は、特許法第１２０条の４第２項、同条第３項で準用する同法第１２６条第２項及び第３項の規定に適合するので、当該訂正を認める。
３．特許異議申立について
3．1　本件発明
　本件の請求項１〜請求項３に係る発明は、訂正明細書の特許請求の範囲の請求項１〜請求項３（上記2．1アの訂正事項ａを参照）に記載された事項により特定されるとおりのものである。
3．2　特許異議申立ての理由の概要
　特許異議申立人 株式会社ディスク（以下、申立人ディスクという。）は、甲第１号証（特開昭５６−５７０８４号公報）、甲第２号証（特開昭６２−７８５２７号公報）、甲第３号証（特開平１−１９１８２６号公報）、甲第４号証（特開昭６１−１４３７９１号公報）、甲第５号証（特開昭５１−８８９７号公報）、甲第６号証（特開平３−２８９６２０号公報）、甲第７号証（特開昭６３−７７０１８号公報）、甲第８号証（特開平４−３７１９２７号公報）、甲第９号証（特開平５−２３２４６５号公報）及び甲第１０号証（特開昭６０−２９１８号公報）を提示し、訂正前の請求項１〜３に係る発明は、甲第１号証〜甲第１０号証に記載された発明に基いて当業者が容易に発明をすることができたものであるから、特許法第２９条第２項の規定により特許を受けることができないものである旨主張し、
　特許異議申立人 斉藤忠（以下、申立人斉藤という。）は、甲第１号証（特開昭６０−６９６３０号公報）、甲第２号証（特開平３−２８９６２０号公報）及び甲第３号証（特開平３−１０７８２０号公報）を提示し、訂正前の請求項１に係る発明は、甲第１号証〜甲第３号証に記載された発明に基いて当業者が容易に発明をすることができたものであるから、特許法第２９条第２項の規定により特許を受けることができないものである旨、各々主張している。
3．3　各甲号証に記載された発明
　申立人ディスクの提示した甲第１号証には、対向した透光性の電極と反射性電極との間に液晶層を有して成る反射型液晶表示セルと、このセルの透光性の電極側に配置される光拡散層或いは光拡散板と偏光層或いは偏光板とを具備して成ることを特徴とする液晶表示装置について記載され（特許請求の範囲の請求項１，第３頁右下欄第１１行〜第６頁左上欄第３行及び第５図〜第８図）、
　同甲第２号証には、液晶表示素子と、一対の偏光板と、カラーフィルタとから構成される液晶表示装置において、前記液晶表示素子の内部に、一枚の偏光板と光散乱性を有するカラーフィルタとを組合せて配置したことを特徴とする液晶表示装置について記載され（特許請求の範囲、第２頁左上欄第２行〜左下欄第１３行及び第１〜第２図）、
　同甲第３号証には、二枚の透明なガラス基板の対向する内面に、液晶を封入してなる液晶表示装置において、その前面ガラス基板の内面に光拡散層を設け、さらに該ガラス基板の外側に画素寸法大のマイクロレンズもしくはレンチキュラーレンズと各レンズの間にブラックマトリクスとを設置したことを特徴とする液晶表示装置について記載され（特許請求の範囲、第２頁右上欄第１８行〜右下欄第１８行及び第１図、第３図）、
　同甲第４号証には、光源側基板と表示側基板との間に挟持された液晶層構造部へ光を透過させ、カラー画像を表示するカラー液晶表示装置において、表示側基板の液晶層構造部へ接する面、もしくはその反対側面のいずれか、又は双方に光散乱面を形成することを特徴とするカラー液晶表示装置について記載され（特許請求の範囲、第３頁右上欄第１〜１９行及び第１図）、
　同甲第５号証には、第１の偏光板、透明な電極を有する二枚の透明基板間に液晶を充填して成る液晶セル、第２の偏光板、光拡散層、反射板を設け、前記、第２の偏光板、光拡散層、反射板を一体構成としたことを特徴とする液晶表示装置について記載され（特許請求の範囲、第３頁右上欄第４行〜第４頁左上欄第１行及び第３図）、
　同甲第６号証には、対向する２枚の基板間に液晶層を挟持してなる液晶セルの前記液晶層を挟むように偏光層と反射層を配置し、かつ、前記液晶層と前記反射層との間に偏光素子を有さない液晶表示装置において、前記２枚の基板のうち片方の基板表面に、金属薄膜、光を散乱させることを目的とした微粒子を含む有機薄膜の少なくとも２つを有することを特徴とする液晶表示装置について記載され（特許請求の範囲、第１頁右下欄第１４行〜２頁左上欄第４行、第２頁右上欄第１行〜右下欄第２０行及び第１図）、
　同甲第７号証には、対向配置した２枚のガラス基板間に液晶を封入し、かつ一方のガラス基板の液晶封入面に複数のアクティブ素子と表示電極、他方のガラス基板の液晶封入面に共通電極を具備してなる反射型液晶パネル構造において、いずれか一方の基板に前記複数のアクティブ素子に対応して１画素分の面積を有する一方の電極を兼ねる金属反射膜を形成するとともに、その上に陽極酸化膜を形成し、この２層膜によりカラーフィルタを構成したことを特徴とする反射型カラー液晶パネルについて記載され（特許請求の範囲、第２頁左上欄第４〜１８行及び第２図）、
　同甲第８号証には、観察者側電極板にカラーフィルターを設けた反射型液晶パネルについて記載され（第２頁第１欄第４１行〜第２欄第２２行及び図６（ａ））、
　同甲第９号証には、入射光を反射することにより表示を行う反射型液晶表示装置において、透明電極が形成された絶縁性基板と、凹凸を有する第１膜と該第１膜に液体を塗布、硬化することによって形成された第２膜よりなる曲面部を含む多数の微細な凹凸を有する基板上に反射膜からなる電極を形成した反射板と、該絶縁性基板と該反射板との間に封入された液晶層と、を備えてなることを特徴とする反射型液晶表示装置について記載され（特許請求の範囲の請求項１、第４頁右欄第１８行〜第５頁左欄第１８行及び図３、図４）、
　同甲第１０号証には、二枚のガラス基板で液晶層を挟持してなる液晶パネルの背面に照明光線を設置し、該液晶パネルの前面ガラス基板の前方にマルチカラーフィルタを形成したツイストネマチック液晶表示装置において、該マルチカラーフィルタ中に光散乱用粒子を散在させるかあるいは該マルチカラーフィルタの前面に光散乱用粒子を散在させた層を設置した事を特徴とする液晶マルチカラー表示装置について記載されている（特許請求の範囲、第２頁右上欄第１９行〜右下欄第１行及び第４図、第５図）。
　申立人斉藤の提示した甲第１号証には、パターニングされた透明電極を有するプラスチックフイルム基板を相対向せしめて周辺をツールしたプラスチック液晶表示素子において、該プラスチックフイルム基板がプラスチックフイルム上に有機シリケートを含有したシリカを充填したアルキッドメラミン樹脂の保護層を形成し、該保護層上に透明電極層を形成したものであることを特徴とするプラスチック液晶表示素子について記載され（特許請求の範囲の請求項１、第２頁左上欄第１〜６行、第２頁右上欄第２行〜左下欄第８行、第４頁右下欄第１４行〜第５頁左上欄第１８行、５頁右上欄第１５〜１８行及び第１図）、
　同甲第２号証には、申立人ディスクの提示した甲第６号証について記載したとおりの事項について記載され、
　同甲第３号証には、一対の基板間に液晶を充填して構成される液晶素子と液晶素子の厚み方向の両側に配置した偏光層とを有する液晶装置において、偏光層に関して液晶素子とは反対側の少なくともいずれか一方に光散乱剤を分散した層を配置することを特徴とする液晶装置について記載されている（特許請求の範囲、第２頁左下欄第１２〜１４行、第２頁右下欄第３〜１３行、第２頁右下欄第１５行〜第３頁右下欄第１９行及び第１図、第２図）。
４．対比判断
　訂正後の請求項１に係る発明（以下、訂正発明１という。）と、上記各特許異議申立人の甲号証とを対比すると、同甲号証記載の発明は、訂正発明１の構成要件である「反射型液晶表示装置用の観察者側電極板において、前記観察者側電極板を構成する透明基板の液晶物質と対向する面側に、透過光を着色するカラーフィルター層と、前記カラーフィルター層を被覆するように設けられ、透明樹脂と、この透明樹脂中に分散されかつこの透明樹脂と屈折率が異なると共に光学的に等方性を有する微粒子とを主成分とする光散乱層と、前記光散乱層を被覆するように設けられた透明電極とを、設けたこと」を備えておらず、その構成要件により、訂正発明１は、「外光光源の位置に関わりなく表示画面の視野角を増大させることが可能となり、高コントラストでかつ不要な着色のない表示画面を得ることが可能となり、更に、印刷法、ロールコート法等の簡単な手段により光散乱層を形成することができ、かつ、この光散乱層を観察者側電極板に設けたことにより光反射性背面電極板に光散乱性を持たせるために必要とされた複雑な工程が不要となる」という顕著な効果を奏するものであるから、訂正発明１が上記甲号証記載の発明から当業者が容易に発明をすることができたものとすることはできない。
　訂正後の請求項２及び請求項３に係る発明は、訂正発明１を引用し、さらに限定した発明であるから、訂正発明１についての理由と同じ理由で、上記甲号証記載の発明から当業者が容易に発明をすることができたものとすることはできない。
５．むすび
　以上のとおりであるから、特許異議申立ての理由及び証拠によっては本件請求項１〜３に係る発明の特許を取り消すことはできない。
　また、他に本件請求項１〜３に係る発明の特許を取り消すべき理由を発見しない。
　よって、結論のとおり決定する。
【異議決定日】
平成１３年１月２２日（２００１．１．２２）
【訂正の要旨】
（イ）特許請求の範囲の減縮を目的として、特許明細書中の【特許請求の範囲】の「【請求項１】　矩形状の各画素に対応した複数の電極が基板の画面表示領域内にパターン状に設けられた光反射性背面電極板と、この背面電極板に対向して配置されかつ透明基板の上記画面表示領域に対応する部位に一様に設けられた透明電極を有する観察者側電極板と、これ等の電極板間に封入された液晶物質とを備え、この液晶物質に対し画素毎に電圧を印加して画面表示する反射型液晶表示装置用の上記観察者側電極板において、観察者側電極板を構成する上記透明基板の液晶物質と対向する面側に、透明樹脂と、この透明樹脂中に分散されかつこの透明樹脂と屈折率が異なると共に光学的に等方性を有する微粒子とを主成分とする光散乱層を設けたことを特徴とする反射型液晶表示装置用観察者側電極板。
　【請求項２】　上記光散乱層が、透過光を着色する着色材を含有することを特徴とする請求項１記載の反射型液晶表示装置用観察者側電極板。
　【請求項３】　観察者側電極板を構成する透明基板が、上記光散乱層と透過光を着色するカラーフィルター層を具備していることを特徴とする請求項１記載の反射型液晶表示装置用観察者側電極板。」を、「【請求項１】　矩形状の各画素に対応した複数の電極が基板の画面表示領域内にパターン状に設けられた光反射性背面電極板と、この背面電極板に対向して配置されかつ透明基板の上記画面表示領域に対応する部位に一様に設けられた透明電極を有する観察者側電極板と、これ等の電極板間に封入された液晶物質とを備え、この液晶物質に対し画素毎に電圧を印加して画面表示する反射型液晶表示装置用の上記観察者側電極板において、観察者側電極板を構成する上記透明基板の液晶物質と対向する面側に、
透過光を着色するカラーフィルター層と、前記カラーフィルター層を被覆するように設けられ、
と、前記光散乱層を被覆するように設けられた透明電極とを、
　【請求項２】　上記光散乱層が、
均一な厚みに形成されている
　【請求項３】　
上記光散乱層が、界面活性剤を添加されている
または２
（ロ）不明瞭な記載の釈明を目的として、願書に添付した明細書第２頁第５行目の「図４」を、「
図２
（ハ）不明瞭な記載の釈明を目的として、願書に添付した明細書第３頁第４行目の「図５」を、「
図３
（ニ）不明瞭な記載の釈明を目的として、願書に添付した明細書第３頁第７行目の「図６」を、「
図４
（ホ）不明瞭な記載の釈明を目的として、願書に添付した明細書第３頁第１７行目の「図７」を、「
図５
（ヘ）不明瞭な記載の釈明を目的として、願書に添付した明細書第４頁第２行目の「図７」を、「
図５
（ト）不明瞭な記載の釈明を目的として、平成１１年４月９日付け手続補正書第４頁第１行目〜第４行目の「観察者側電極板を構成する上記透明基板の液晶物質と対向する面側に、透明樹脂と、この透明樹脂中に分散されかつこの透明樹脂と屈折率が異なると共に光学的に等方性を有する微粒子とを主成分とする光散乱層を設けたことを特徴とするものである。」を、「観察者側電極板を構成する上記透明基板の液晶物質と対向する面側に、
透過光を着色するカラーフィルター層と、前記カラーフィルター層を被覆するように設けられ、
と、前記光散乱層を被覆するように設けられた透明電極とを、
また、請求項２に係る発明は、上記光散乱層が、均一な厚みに形成されていることを特徴とする請求項１記載の反射型液晶表示装置用観察者側電極板としたものである。さらに、請求項３に係る発明は、上記光散乱層が、界面活性剤を添加されていることを特徴とする請求項１または２記載の反射型液晶表示装置用観察者側電極板としたものである。
（チ）不明瞭な記載の釈明を目的として、平成１１年４月９日付け手続補正書第５頁第１８行目〜第２１行目の「これら微粒子を透明樹脂内に分散させるときには界面活性剤を添加して微粒子同士の凝集を防ぎ微粒子状態を維持させることができる。また、上記微粒子の形状としては、球形、円盤形、碁石形、多角形、菱形、正方板形等の任意の形状であってよい。」を、「これら微粒子を透明樹脂内に分散させるときには界面活性剤を添加して微粒子同士の凝集を防ぎ微粒子状態を維持させることができる。
すなわち、請求項３に係る発明はこのような技術的理由に基づいてなされている。
（リ）不明瞭な記載の釈明を目的として、平成１１年４月９日付け手続補正書第６頁第３行目〜第４行目の「上記光散乱層は均一な厚みに形成されることが望ましいが、多少の凹凸の許容される表示装置」を、「上記光散乱層は均一な厚みに形成されることが望ましい
。すなわち、請求項２に係る発明はこのような技術的理由に基づいてなされている。
（ヌ）不明瞭な記載の釈明を目的として、平成１１年４月９日付け手続補正書第６頁第１５行目〜第１９行目の「また、請求項１に係る発明において、上記光散乱層に着色材を添加混合することによりこの光散乱層を透過する透過光を着色させてカラー画面の表示が可能となる。また、光散乱層とは別にカラーフィルター層を設けることによっても同様にカラー画面の表示が可能となる。請求項２及び３に係る発明はこのような技術的理由に基づいてなされている。」を、「また、請求項１に係る発明において、光散乱層とは別にカラーフィルター層を設けることによってカラー画面の表示が可能となる。」と訂正する。（【００２２】参照）
（ル）不明瞭な記載の釈明を目的として、特許明細書中の【００２３】を、削除する。
（ヲ）不明瞭な記載の釈明を目的として、特許明細書中の【００２４】を、削除する。
（ワ）不明瞭な記載の釈明を目的として、平成１１年４月９日付け手続補正書第７頁第２９行目〜第８頁第３行目の「他方、請求項３に係るカラーフィルター層としては周知のものが利用でき、例えば、上記印刷法や染色法あるいは顔料分散法で製造したカラーフィルター層を利用することができる。また、この他、着色材を含む電着樹脂を画素毎に電着させて製造した電着法カラーフィルター層を利用することも可能である。」を、「カラーフィルター層としては周知のものが利用でき、例えば、印刷法や染色法あるいは顔料分散法で製造したカラーフィルター層を利用することができる。また、この他、着色材を含む電着樹脂を画素毎に電着させて製造した電着法カラーフィルター層を利用することも可能である。」と訂正する。（【００２５】参照）
（カ）不明瞭な記載の釈明を目的として、平成１１年４月９日付け手続補正書第８頁第１０行目〜第８頁第１４行目の「尚、請求項２及び３に係る発明において、透過光を着色する着色材の色彩としては光の三原色である赤色、緑色、青色が望ましいが、これら三色に限定さるものではなく、上記三原色の補色に該当するシアン、マゼンタ及びイエローの透明な三色であってもよい。またこれら三原色又はその補色の三色に更に透明な白色を加えた四色であってもよい。」を、「尚、透過光を着色する着色材の色彩としては光の三原色である赤色、緑色、青色が望ましいが、これら三色に限定さるものではなく、上記三原色の補色に該当するシアン、マゼンタ及びイエローの透明な三色であってもよい。またこれら三原色又はその補色の三色に更に透明な白色を加えた四色であってもよい。」と訂正する。（【００２６】参照）
（ヨ）不明瞭な記載の釈明を目的として、平成１１年４月９日付け手続補正書第９頁第５行目〜第９頁第１５行目の「請求項１〜３記載の発明に係る観察者側電極板によれば、観察者側電極板を構成する透明基板の液晶物質と対向する面側に、透明樹脂と、この透明樹脂中に分散されかつこの透明樹脂と屈折率が異なると共に光学的に等方性を有する微粒子とを主成分とする光散乱層を設けており、この観察者側電極板に入射した外光は上記光散乱層で散乱され、かつ、観察者側電極板に対向して配置された光反射性背面電極板で反射された後、再度光散乱層で散乱されて出射されることになるため、外光光源の位置に関わりなく表示画面の視野角を増大させることが可能になる。また、上記光散乱層の微粒子として光学的に等方性を有する材料が適用されているため、偏光膜を利用するタイプの反射型液晶表示装置において高コントラストでかつ不要な着色のない表示画面を得ることが可能となる。」を、「
請求項１
透明基板の液晶物質と対向する面側に、カラーフィルター層／光散乱層／透明電極が、この順に並んでおり、しかも図示するように光散乱層がカラーフィルター層より液晶物質に近接して配置されており、しかも、
請求項２記載の発明に係る観察者側電極板によれば、請求項１の作用効果に加えて、配向欠陥を防止した高品質の画面表示が広い視野角で可能になる。さらに、請求項３の発明に係る観察者側電極板によれば、微粒子同士の凝集を防止して透明樹脂内に一様に微粒子状態を維持して微粒子を分散させることで、画面表示全体の視野角を均一に増大させることが可能になる。
（タ）不明瞭な記載の釈明を目的として、特許明細書中の【００３０】を、削除する。
（レ）不明瞭な記載の釈明を目的として、特許明細書中の【００３１】を、削除する。
（ソ）不明瞭な記載の釈明を目的として、特許明細書中の【００３２】を、削除する。
（ツ）不明瞭な記載の釈明を目的として、特許明細書中の【００３３】を、削除する。
（ネ）不明瞭な記載の釈明を目的として、平成１１年４月９日付け手続補正書第１０頁第２４行目の「［実施例３］」を、「［
実施例１
（ナ）不明瞭な記載の釈明を目的として、平成１１年４月９日付け手続補正書第１０頁第２５行目の「図３」を、「
図１
（ラ）不明瞭な記載の釈明を目的として、平成１１年４月９日付け手続補正書第１１頁第１５行目〜第２８行目の「請求項１〜３に係る発明によれば、観察者側電極板を構成する透明基板の液晶物質と対向する面側に、透明樹脂と、この透明樹脂中に分散されかつこの透明樹脂と屈折率が異なると共に光学的に等方性を有する微粒子とを主成分とする光散乱層を設けており、この観察者側電極板に入射した外光は上記光散乱層で散乱され、かつ、観察者側電極板に対向して配置された光反射性背面電極板で反射された後、再度光散乱層で散乱されて出射されることになるため、外光光源の位置に関わりなく表示画面の視野角を増大させることが可能となる効果を有する。また、上記光散乱層の微粒子として光学的に等方性を有する材料が適用されているため、偏光膜を利用するタイプの反射型液晶表示装置において高コントラストでかつ不要な着色のない表示画面を得ることが可能となる効果を有する。更に、印刷法、ロールコート法等の簡易な手段により上記光散乱層を形成することができ、かつ、この光散乱層を観察者側電極板に設けたことにより光反射性背面電極板に光散乱性を持たせるために必要とされた複雑な工程が不要となる。」を、「請求項１〜３に係る発明によれば、
透明基板の液晶物質と対向する面側に、カラーフィルター層／光散乱層／透明電極が、この順に並んでおり、光散乱層がカラーフィルター層より液晶物質に近接して配置されており、しかも、
また、配向欠陥を防止した高品質の画面表示が広い視野角で可能になる。さらにまた、微粒子同士の凝集を防止して透明樹脂内に一様に微粒子状態を維持して微粒子を分散させることで、画面表示全体の視野角を均一に増大させることが可能になるという効果を有する。
（ム）不明瞭な記載の釈明を目的として、特許明細書中の【図面の簡単な説明】の「【図２】実施例２に係る観察者側電極板の断面図。」を、「【図２】
従来例に係る液晶表示装置
（ウ）不明瞭な記載の釈明を目的として、特許明細書中の【図面の簡単な説明】の「【図３】実施例３に係る観察者側電極板の断面図。」を、「【図３】従
来例に係る背面電極板
（ヰ）不明瞭な記載の釈明を目的として、特許明細書中の【図面の簡単な説明】の「【図４】従来例に係る液晶表示装置の断面図。」を、「【図４】従来例に係る
背面電極板
（ノ）不明瞭な記載の釈明を目的として、特許明細書中の【図面の簡単な説明】の「【図５】従来例に係る背面電極板の断面図。」を、「【図５】従来例に係る
液晶表示装置
（オ）不明瞭な記載の釈明を目的として、特許明細書中の【図面の簡単な説明】の「【図６】従来例に係る背面電極板の断面図。」を削除する。
（ク）不明瞭な記載の釈明を目的として、特許明細書中の【図面の簡単な説明】の「【図７】従来例に係る液晶表示装置の断面図。」を削除する。
（ヤ）不明瞭な記載の釈明を目的として、特許明細書に添付した図１、図２を削除する。
（５４）【発明の名称】
反射型液晶表示装置用観察者側電極板
（５７）【特許請求の範囲】
　【請求項１】
　矩形状の各画素に対応した複数の電極が基板の画面表示領域内にパターン状に設けられた光反射性背面電極板と、この背面電極板に対向して配置されかつ透明基板の上記画面表示領域に対応する部位に一様に設けられた透明電極を有する観察者側電極板と、これ等の電極板間に封入された液晶物質とを備え、この液晶物質に対し画素毎に電圧を印加して画面表示する反射型液晶表示装置用の上記観察者側電極板において、
観察者側電極板を構成する上記透明基板の液晶物質と対向する面側に、
透過光を着色するカラーフィルター層と、
前記カラーフィルター層を被覆するように設けられ、
と、
前記光散乱層を被覆するように設けられた透明電極とを、
設けたことを特徴とする反射型液晶表示装置用観察者側電極板。
　【請求項２】
　上記光散乱層が、
均一な厚みに形成されている
　【請求項３】
　
上記光散乱層が、界面活性剤を添加されている
または２
【発明の詳細な説明】
　【０００１】
　【産業上の利用分野】
　本発明は反射型液晶表示装置に適用される観察者側電極板に係り、特に、製造工程が簡単でその生産性と収率が高く、しかも外光光源の位置に関わりなく視野角の広い画面表示を可能にする反射型液晶表示装置における観察者側電極板の改良に関するものである。
　【０００２】
　【従来の技術】
　この種の液晶表示装置は、一般に、
図２
　【０００３】
　そして、この種の液晶表示装置としては、液晶表示装置の背面側に位置する電極板（以下背面電極板と称する）ａの裏面若しくは側面に光源（ランプ）を配置し、背面電極板ａ側から光線を入射させた表示画面の明るいバックライト型あるいはライトガイド型のランプ内蔵式透過型液晶表示装置が広く普及している。
　【０００４】
　しかし、このランプ内蔵式透過型液晶表示装置においては、そのランプによる消費電力が大きくＣＲＴやプラズマディスプレイ等他の種類のディスプレイと略同等の電力を消費するため、液晶表示装置本来の低消費電力といった特徴を損ない、また、携帯先で長時間の利用が困難となるという欠点を有していた。
　【０００５】
　他方、このようなランプを内蔵することなく、装置の観察者側に位置する電極板（観察者側電極板と称する）ｂから室内光や自然光等の外光を入射させ、上記背面電極板ａに設けられた金属反射膜で反射させてこの反射光により画面表示する反射型液晶表示装置も知られている。そして、この装置ではランプを利用しないことから消費電力が小さく、従って、携帯先の長時間駆動に耐えるという利点を有している。
　【０００６】
　そして、このような反射型液晶表示装置にはその背面電極板ａとして、例えば、
図３
図４
　【０００７】
　ところで、この種の反射型液晶表示装置においては、上記金属反射膜ａ２が入射光線を正反射するためその外光の光源の位置によって視野角が制限されるという欠点を有していた。
　【０００８】
　そこで、特開昭６３−２２８８８７号公報あるいは日本印刷学会主催のフォトファブリケーションシンポジウム’９２には、表面凹凸の金属薄膜を金属反射膜ａ２として適用することによりこの金属反射膜ａ２の正反射を防止して表示画面の視野角を拡大させた液晶表示装置が紹介されている。すなわち、
図５
　【０００９】
　そして、この液晶表示装置においては上記金属反射膜ａ２が絶縁性樹脂層ａ７の表面形状を反映して凹凸表面を有しているため、光を乱反射して表示画面の視野角を拡大させることが可能になる。尚、この液晶表示装置において上記ＴＦＴ素子ａ６は、半導体部ａ６２とこの半導体部ａ６２をはさんでその両側に設けられたソース電極ａ６１及びドレイン電極ａ６３とで構成されており、ドレイン電極ａ６３と上記金属反射膜ａ２とを絶縁層ａ７に設けられた貫通孔（コンタクトホール）を通して導通させこの金属反射膜ａ２を液晶物質の駆動電極として利用している。また、
図５
　【００１０】
　【発明が解決しようとする課題】
　しかしながら、この液晶表示装置においては、その製造に際して上記絶縁性樹脂層ａ７を形成する工程とその表面に凹凸を付与する工程が必要で、かつ、ドレイン電極ａ６３と上記金属金属反射膜ａ２とを導通させるため絶縁性樹脂層ａ７をドライエッチングしてコンタクトホールを形成する工程等が必要となるため、その生産性と収率とが極めて低いという問題点があった。
　【００１１】
　また、この液晶表示装置においては、表面凹凸の絶縁性樹脂層ａ７上に真空蒸着やスパッタリング等の方法で上記金属反射膜ａ２を直接設ける必要があり、この形成段階において上記金属反射膜ａ２が酸化若しくは水酸化され易いため、金属反射膜ａ２本来の反射性能が損なわれる問題点があった。
　【００１２】
　本発明はこのような問題点に着目してなされたもので、その課題とするところは、反射型液晶表示装置の利点を維持したまま、製造工程が簡単でその生産性と収率が高く、しかも外光光源の位置に関わりなく視野角の広い画面表示を可能にする反射型液晶表示装置の観察者側電極板を提供することにある。
　【００１３】
　【課題を解決するための手段】
　すなわち、請求項１に係る発明は、
　矩形状の各画素に対応した複数の電極が基板の画面表示領域内にパターン状に設けられた光反射性背面電極板と、この背面電極板に対向して配置されかつ透明基板の上記画面表示領域に対応する部位に一様に設けられた透明電極を有する観察者側電極板と、これ等の電極板間に封入された液晶物質とを備え、この液晶物質に対し画素毎に電圧を印加して画面表示する反射型液晶表示装置用の上記観察者側電極板を前提とし、
　観察者側電極板を構成する上記透明基板の液晶物質と対向する面側に、
透過光を着色するカラーフィルター層と、
前記カラーフィルター層を被覆するように設けられ、
と、
前記光散乱層を被覆するように設けられた透明電極とを、
設けたことを特徴とするものである。
また、請求項２に係る発明は、
　
上記光散乱層が、均一な厚みに形成されていることを特徴とする請求項１記載の反射型液晶表示装置用観察者側電極板としたものである。
さらに、請求項３に係る発明は、
　上記光散乱層が、界面活性剤を添加されていることを特徴とする請求項１または２記載の反射型液晶表示装置用観察者側電極板としたものである。
　【００１４】
　この請求項１記載の発明に係る観察者側電極板によれば、この観察者側電極板に入射した外光は上記光散乱層で散乱され、かつ、光反射性背面電極板で反射された後、再度光散乱層で散乱されて出射されることになるため外光光源の位置に関わりなく表示画面の視野角を増大することが可能になる。
　【００１５】
　また、この請求項１に係る発明において上記光散乱層に入射した光線は、透明樹脂と微粒子との屈折率の相違に基づきこれらの界面で屈折・反射して散乱されるため、透明樹脂の屈折率と微粒子の屈折率とは０．０５以上の差異があることが望ましい。
　【００１６】
　そして、上記透明樹脂としては、可視光線透過率が高く、また液晶表示装置の製造工程中における熱処理及び薬品処理に対する十分な耐性を具備するものが望ましく、例えば、アクリル樹脂、エポキシ樹脂、ポリエステル樹脂、シリコン樹脂、ポリイミド樹脂等が適用できる。また、液晶表示装置組み立ての際の必要性から、上記光散乱層をパターン状に設ける場合には感光性と現像性とを有するアクリル系樹脂やエポキシ系樹脂を利用してもよい。また、熱硬化性樹脂や紫外線硬化型樹脂を利用することも可能である。
　【００１７】
　【００１８】
　次に、上記透明樹脂中に分散される微粒子の結晶が光学的異方性を有する場合、この結晶内部に入射した光線は互いにその偏光面が直交する二以上の光線に分離し、それぞれの光線が異なる速度でこの結晶中を進行するため異なる位相で出射することになる。そして、互いに位相と偏光面とが異なる二以上の光線が合成される結果、偏光面が回転して偏光膜による光透過・遮蔽の制御が困難となり表示画面のコントラストが低下したり、あるいは偏光面が直交する二以上の出射光線同士の位相の差が波長に応じて異なり、従って偏光膜を透過した後の強度が波長によって異なるため表示画面に着色が生じたりすることがある。これに対し、上記微粒子が等方性を有する場合には、この微粒子内に入射した光線の分離が起こらないことから上記偏光膜を利用するタイプの液晶表示装置においても（尚、いわゆる高分子分散液晶やゲストホスト液晶を使用する表示装置では偏光膜を利用しない）表示画面のコントラストが高く維持され、かつ、画面の着色も生じない。そこで、請求項１に係る発明においてはこの様な理由に基づき光学的に等方性を有する微粒子が適用されている。
　【００１９】
　【００２０】
　このような等方性の微粒子としては非晶質のものが望ましく、例えば、シリカ、ポリ４フッ化エチレン、ポリエーテルサルフォン、ポリエーテルエーテルケトン、ポリサルフォン、ポリイミド、ポリジビニルベンゼン等が挙げられる。また、これら微粒子の表面に適当な処理が施されたものであってもよい。このような表面処理として、例えば、ＳｉＯ２、ＺｒＯ２、Ａ１２Ｏ
３
すなわち、請求項３に係る発明はこのような技術的理由に基づいてなされている。
　【００２１】
　尚、上記光散乱層は、微粒子を上記透明樹脂中に混合・分散して透明基板上に塗布乾燥することにより形成することが可能である。塗布の方法としてはフレキソ印刷法、スクリーン印刷法、オフセット印刷法、ロールコート法等が適用できる。観察者側電極板内面の凹凸による液晶物質の配向欠陥を防止して高品質の画面表示を可能とするため、上記光散乱層は均一な厚みに形成されることが望ましい。
すなわち、請求項２に係る発明はこのような技術的理由に基づいてなされている。
多少の凹凸の許容される表示装置（例えば、ＴＮ型液晶表示装置、高分子分散型液晶表示装置、ゲストホスト型液晶表示装置等）においてはその表面に深さ０．１〜１μｍの凹凸を設けて可視光線を散乱させてもよい。このような凹凸は、上記微粒子としてシリカのアエロジルを使用して光散乱層を塗布形成することにより可能である。
　【００２２】
　また、請求項１に係る発明において、光散乱層とは別にカラーフィルター層を設けることによってカラー画面の表示が可能となる。
　【００２３】
　【００２４】
　【００２５】
　カラーフィルター層としては周知のものが利用でき、例えば、印刷法や染色法あるいは顔料分散法で製造したカラーフィルター層を利用することができる。また、この他、着色材を含む電着樹脂を画素毎に電着させて製造した電着法カラーフィルター層を利用することも可能である。
　【００２６】
　尚、透過光を着色する着色材の色彩としては光の三原色である赤色、緑色、青色が望ましいが、これら三色に限定さるものではなく、上記三原色の補色に該当するシアン、マゼンタ及びイエローの透明な三色であってもよい。またこれら三原色又はその補色の三色に更に透明な白色を加えた四色であってもよい。
　【００２７】
　また、請求項１〜３に係る観察者側電極板に適用される透明電極としては、酸化インジウムの中にドーパントとして酸化錫を添加して成るＩＴＯ薄膜、酸化インジウムの中に酸化チタン、酸化鉛、酸化アンチモン、酸化ビスマス、酸化ハフニウムあるいは酸化イットリウムを添加して成る薄膜、酸化亜鉛に酸化アルミニウムを添加して成る薄膜、あるいはこれらの薄膜を多数積層して成る多層膜が利用できる。
　【００２８】
　【作用】
　
請求項１
透明基板の液晶物質と対向する面側に、カラーフィルター層／光散乱層／透明電極が、この順に並んでおり、しかも図示するように光散乱層がカラーフィルター層より液晶物質に近接して配置されており、しかも、
　
請求項２記載の発明に係る観察者側電極板によれば、請求項１の作用効果に加えて、配向欠陥を防止した高品質の画面表示が広い視野角で可能になる。さらに、請求項３記載の発明に係る観察者側電極板によれば、微粒子同士の凝集を防止して透明樹脂内に一様に微粒子状態を維持して微粒子を分散させることで、画面表示全体の視野角を均一に増大させることが可能になる。
　【００２９】
　【実施例】
　以下、図面を参照して本発明の実施例について詳細に説明する。
　【００３０】
　【００３１】
　【００３２】
　【００３３】
　【００３４】
［
実施例１
　この実施例に係る反射型液晶表示装置用観察者側電極板は、図１に示すように厚さ０．７ｍｍのガラス基板３１と、このガラス基板３１の画面表示領域内の画素と画素との間隙部位（１１０μｍピッチ）に設けられ黒色染料で染色された樹脂から成る厚さ１μｍのブラックストライプ３５と、画素部位に設けられた三色（赤色、緑色、青色）のカラーフィルター層３４Ｒ、３４Ｇ、３４Ｂと、これらブラックストライプ３６及びカラーフィルター層３４Ｒ、３４Ｇ、３４Ｂを被覆して画面表示領域の全面に一様に設けられた厚さ１μｍの光散乱層３２と、この光散乱層３２を被覆して一様に設けられた厚さ０．１２μｍのＩＴＯ薄膜から成る略四角形状の透明電極３３とでその主要部が構成されている。尚、上記光散乱層３２はフェノールーノボラック系感光性樹脂に固形比で約６重量％のポリ４フッ化エチレンの微粉末（粒径０．３μｍ以下）を分散させたもので構成されている。
　【００３５】
　そして、この光散乱層３２は、ポリ４フッ化エチレン微粉末が分散された上記感光性樹脂をブラックストライプ３５及びカラーフィルター層３４Ｒ、３４Ｇ、３４Ｂ上に塗布形成し、かつ、フォトリソグラフィ法に従って形成されたものである。
　【００３６】
　また、上記カラーフィルター層３４Ｒ、３４Ｇ、３４Ｂは、エポキシ樹脂を樹脂成分とし、１１０μｍピッチで、１２０μｍ幅（約１０μｍは隣接するカラーフィルター層に重畳する）で印刷して形成されたものである。
　【００３７】
　【発明の効果】
　請求項１〜３に係る発明によれば、
透明基板の液晶物質と対向する面側に、カラーフィルター層／光散乱層／透明電極が、この順に並んでおり、光散乱層がカラーフィルター層より液晶物質に近接して配置されており、しかも、
また、配向欠陥を防止した高品質の画面表示が広い視野角で可能になる。さらにまた、微粒子同士の凝集を防止して透明樹脂内に一様に微粒子状態を維持して微粒子を分散させることで、画面表示全体の視野角を均一に増大させることが可能になるという効果を有する。
　【００３８】
　従って、反射型液晶表示装置を製造する際の工程が簡略化されるため、生産効率と収率が著しく向上する効果を有している。
【発明の詳細な説明】
　【０００１】
　【産業上の利用分野】
　本発明は反射型液晶表示装置に適用される観察者側電極板に係り、特に、製造工程が簡単でその生産性と収率が高く、しかも外光光源の位置に関わりなく視野角の広い画面表示を可能にする反射型液晶表示装置における観察者側電極板の改良に関するものである。
　【０００２】
　【従来の技術】
　この種の液晶表示装置は、一般に、
図２
　【０００３】
　そして、この種の液晶表示装置としては、液晶表示装置の背面側に位置する電極板（以下背面電極板と称する）ａの裏面若しくは側面に光源（ランプ）を配置し、背面電極板ａ側から光線を入射させた表示画面の明るいバックライト型あるいはライトガイド型のランプ内蔵式透過型液晶表示装置が広く普及している。
　【０００４】
　しかし、このランプ内蔵式透過型液晶表示装置においては、そのランプによる消費電力が大きくＣＲＴやプラズマディスプレイ等他の種類のディスプレイと略同等の電力を消費するため、液晶表示装置本来の低消費電力といった特徴を損ない、また、携帯先で長時間の利用が困難となるという欠点を有していた。
　【０００５】
　他方、このようなランプを内蔵することなく、装置の観察者側に位置する電極板（観察者側電極板と称する）ｂから室内光や自然光等の外光を入射させ、上記背面電極板ａに設けられた金属反射膜で反射させてこの反射光により画面表示する反射型液晶表示装置も知られている。そして、この装置ではランプを利用しないことから消費電力が小さく、従って、携帯先の長時間駆動に耐えるという利点を有している。
　【０００６】
　そして、このような反射型液晶表示装置にはその背面電極板ａとして、例えば、
図３
図４
　【０００７】
　ところで、この種の反射型液晶表示装置においては、上記金属反射膜ａ２が入射光線を正反射するためその外光の光源の位置によって視野角が制限されるという欠点を有していた。
　【０００８】
　そこで、特開昭６３−２２８８８７号公報あるいは日本印刷学会主催のフォトファブリケーションシンポジウム’９２には、表面凹凸の金属薄膜を金属反射膜ａ２として適用することによりこの金属反射膜ａ２の正反射を防止して表示画面の視野角を拡大させた液晶表示装置が紹介されている。すなわち、
図５
　【０００９】
　そして、この液晶表示装置においては上記金属反射膜ａ２が絶縁性樹脂層ａ７の表面形状を反映して凹凸表面を有しているため、光を乱反射して表示画面の視野角を拡大させることが可能になる。尚、この液晶表示装置において上記ＴＦＴ素子ａ６は、半導体部ａ６２とこの半導体部ａ６２をはさんでその両側に設けられたソース電極ａ６１及びドレイン電極ａ６３とで構成されており、ドレイン電極ａ６３と上記金属反射膜ａ２とを絶縁層ａ７に設けられた貫通孔（コンタクトホール）を通して導通させこの金属反射膜ａ２を液晶物質の駆動電極として利用している。また、
図５
　【００１０】
　【発明が解決しようとする課題】
　しかしながら、この液晶表示装置においては、その製造に際して上記絶縁性樹脂層ａ７を形成する工程とその表面に凹凸を付与する工程が必要で、かつ、ドレイン電極ａ６３と上記金属金属反射膜ａ２とを導通させるため絶縁性樹脂層ａ７をドライエッチングしてコンタクトホールを形成する工程等が必要となるため、その生産性と収率とが極めて低いという問題点があった。
　【００１１】
　また、この液晶表示装置においては、表面凹凸の絶縁性樹脂層ａ７上に真空蒸着やスパッタリング等の方法で上記金属反射膜ａ２を直接設ける必要があり、この形成段階において上記金属反射膜ａ２が酸化若しくは水酸化され易いため、金属反射膜ａ２本来の反射性能が損なわれる問題点があった。
　【００１２】
　本発明はこのような問題点に着目してなされたもので、その課題とするところは、反射型液晶表示装置の利点を維持したまま、製造工程が簡単でその生産性と収率が高く、しかも外光光源の位置に関わりなく視野角の広い画面表示を可能にする反射型液晶表示装置の観察者側電極板を提供することにある。
　【００１３】
　【課題を解決するための手段】
　すなわち、請求項１に係る発明は、
　矩形状の各画素に対応した複数の電極が基板の画面表示領域内にパターン状に設けられた光反射性背面電極板と、この背面電極板に対向して配置されかつ透明基板の上記画面表示領域に対応する部位に一様に設けられた透明電極を有する観察者側電極板と、これ等の電極板間に封入された液晶物質とを備え、この液晶物質に対し画素毎に電圧を印加して画面表示する反射型液晶表示装置用の上記観察者側電極板を前提とし、
　観察者側電極板を構成する上記透明基板の液晶物質と対向する面側に、
透過光を着色するカラーフィルター層と、
前記カラーフィルター層を被覆するように設けられ、
と、
前記光散乱層を被覆するように設けられた透明電極とを、
設けたことを特徴とするものである。
また、請求項２に係る発明は、
　
上記光散乱層が、均一な厚みに形成されていることを特徴とする請求項１記載の反射型液晶表示装置用観察者側電極板としたものである。
さらに、請求項３に係る発明は、
　上記光散乱層が、界面活性剤を添加されていることを特徴とする請求項１または２記載の反射型液晶表示装置用観察者側電極板としたものである。
　【００１４】
　この請求項１記載の発明に係る観察者側電極板によれば、この観察者側電極板に入射した外光は上記光散乱層で散乱され、かつ、光反射性背面電極板で反射された後、再度光散乱層で散乱されて出射されることになるため外光光源の位置に関わりなく表示画面の視野角を増大することが可能になる。
　【００１５】
　また、この請求項１に係る発明において上記光散乱層に入射した光線は、透明樹脂と微粒子との屈折率の相違に基づきこれらの界面で屈折・反射して散乱されるため、透明樹脂の屈折率と微粒子の屈折率とは０．０５以上の差異があることが望ましい。
　【００１６】
　そして、上記透明樹脂としては、可視光線透過率が高く、また液晶表示装置の製造工程中における熱処理及び薬品処理に対する十分な耐性を具備するものが望ましく、例えば、アクリル樹脂、エポキシ樹脂、ポリエステル樹脂、シリコン樹脂、ポリイミド樹脂等が適用できる。また、液晶表示装置組み立ての際の必要性から、上記光散乱層をパターン状に設ける場合には感光性と現像性とを有するアクリル系樹脂やエポキシ系樹脂を利用してもよい。また、熱硬化性樹脂や紫外線硬化型樹脂を利用することも可能である。
　【００１７】
　【００１８】
　次に、上記透明樹脂中に分散される微粒子の結晶が光学的異方性を有する場合、この結晶内部に入射した光線は互いにその偏光面が直交する二以上の光線に分離し、それぞれの光線が異なる速度でこの結晶中を進行するため異なる位相で出射することになる。そして、互いに位相と偏光面とが異なる二以上の光線が合成される結果、偏光面が回転して偏光膜による光透過・遮蔽の制御が困難となり表示画面のコントラストが低下したり、あるいは偏光面が直交する二以上の出射光線同士の位相の差が波長に応じて異なり、従って偏光膜を透過した後の強度が波長によって異なるため表示画面に着色が生じたりすることがある。これに対し、上記微粒子が等方性を有する場合には、この微粒子内に入射した光線の分離が起こらないことから上記偏光膜を利用するタイプの液晶表示装置においても（尚、いわゆる高分子分散液晶やゲストホスト液晶を使用する表示装置では偏光膜を利用しない）表示画面のコントラストが高く維持され、かつ、画面の着色も生じない。そこで、請求項１に係る発明においてはこの様な理由に基づき光学的に等方性を有する微粒子が適用されている。
　【００１９】
　【００２０】
　このような等方性の微粒子としては非晶質のものが望ましく、例えば、シリカ、ポリ４フッ化エチレン、ポリエーテルサルフォン、ポリエーテルエーテルケトン、ポリサルフォン、ポリイミド、ポリジビニルベンゼン等が挙げられる。また、これら微粒子の表面に適当な処理が施されたものであってもよい。このような表面処理として、例えば、ＳｉＯ２、ＺｒＯ２、Ａｌ２Ｏ３、ＺｎＯあるいは有機樹脂で表面を被覆処理したり、カップリング剤、アルコール、あるいはアミンや有機酸等で表面反応を生じさせたりする処理が挙げられる。また、上記透明樹脂に相溶性がなくかつ透明樹脂と屈折率の異なる樹脂を透明樹脂内に微粒子状態で分散させたものであってもよい。これら微粒子を透明樹脂内に分散させるときには界面活性剤を添加して微粒子同士の凝集を防ぎ微粒子状態を維持させることができる。
すなわち、請求項３に係る発明はこのような技術的理由に基づいてなされている。
　【００２１】
　尚、上記光散乱層は、微粒子を上記透明樹脂中に混合・分散して透明基板上に塗布乾燥することにより形成することが可能である。塗布の方法としてはフレキソ印刷法、スクリーン印刷法、オフセット印刷法、ロールコート法等が適用できる。観察者側電極板内面の凹凸による液晶物質の配向欠陥を防止して高品質の画面表示を可能とするため、上記光散乱層は均一な厚みに形成されることが望ましい。
すなわち、請求項２に係る発明はこのような技術的理由に基づいてなされている。
多少の凹凸の許容される表示装置（例えば、ＴＮ型液晶表示装置、高分子分散型液晶表示装置、ゲストホスト型液晶表示装置等）においてはその表面に深さ０．１〜１μｍの凹凸を設けて可視光線を散乱させてもよい。このような凹凸は、上記微粒子としてシリカのアエロジルを使用して光散乱層を塗布形成することにより可能である。
　【００２２】
　また、請求項１に係る発明において、光散乱層とは別にカラーフィルター層を設けることによってカラー画面の表示が可能となる。
　【００２３】
　【００２４】
　【００２５】
　カラーフィルター層としては周知のものが利用でき、例えば、印刷法や染色法あるいは顔料分散法で製造したカラーフィルター層を利用することができる。また、この他、着色材を含む電着樹脂を画素毎に電着させて製造した電着法カラーフィルター層を利用することも可能である。
　【００２６】
　尚、透過光を着色する着色材の色彩としては光の三原色である赤色、緑色、青色が望ましいが、これら三色に限定さるものではなく、上記三原色の補色に該当するシアン、マゼンタ及びイエローの透明な三色であってもよい。またこれら三原色又はその補色の三色に更に透明な白色を加えた四色であってもよい。
　【００２７】
　また、請求項１〜３に係る観察者側電極板に適用される透明電極としては、酸化インジウムの中にドーパントとして酸化錫を添加して成るＩＴＯ薄膜、酸化インジウムの中に酸化チタン、酸化鉛、酸化アンチモン、酸化ビスマス、酸化ハフニウムあるいは酸化イットリウムを添加して成る薄膜、酸化亜鉛に酸化アルミニウムを添加して成る薄膜、あるいはこれらの薄膜を多数積層して成る多層膜が利用できる。
　【００２８】
　【作用】
　
請求項１
透明基板の液晶物質と対向する面側に、カラーフィルター層／光散乱層／透明電極が、この順に並んでおり、しかも図示するように光散乱層がカラーフィルター層より液晶物質に近接して配置されており、しかも、
　
請求項２記載の発明に係る観察者側電極板によれば、請求項１の作用効果に加えて、配向欠陥を防止した高品質の画面表示が広い視野角で可能になる。さらに、請求項３記載の発明に係る観察者側電極板によれば、微粒子同士の凝集を防止して透明樹脂内に一様に微粒子状態を維持して微粒子を分散させることで、画面表示全体の視野角を均一に増大させることが可能になる。
　【００２９】
　【実施例】
　以下、図面を参照して本発明の実施例について詳細に説明する。
　【００３０】
　【００３１】
　【００３２】
　【００３３】
　【００３４】
［
実施例１
　この実施例に係る反射型液晶表示装置用観察者側電極板は、図１に示すように厚さ０．７ｍｍのガラス基板３１と、このガラス基板３１の画面表示領域内の画素と画素との間隙部位（１１０μｍピッチ）に設けられ黒色染料で染色された樹脂から成る厚さ１μｍのブラックストライプ３５と、画素部位に設けられた三色（赤色、緑色、青色）のカラーフィルター層３４Ｒ、３４Ｇ、３４Ｂと、これらブラックストライプ３６及びカラーフィルター層３４Ｒ、３４Ｇ、３４Ｂを被覆して画面表示領域の全面に一様に設けられた厚さ１μｍの光散乱層３２と、この光散乱層３２を被覆して一様に設けられた厚さ０．１２μｍのＩＴＯ薄膜から成る略四角形状の透明電極３３とでその主要部が構成されている。尚、上記光散乱層３２はフェノールーノボラック系感光性樹脂に固形比で約６重量％のポリ４フッ化エチレンの微粉末（粒径０．３μｍ以下）を分散させたもので構成されている。
　【００３５】
　そして、この光散乱層３２は、ポリ４フッ化エチレン微粉末が分散された上記感光性樹脂をブラックストライプ３５及びカラーフィルター層３４Ｒ、３４Ｇ、３４Ｂ上に塗布形成し、かつ、フォトリソグラフィ法に従って形成されたものである。
　【００３６】
　また、上記カラーフィルター層３４Ｒ、３４Ｇ、３４Ｂは、エポキシ樹脂を樹脂成分とし、１１０μｍピッチで、１２０μｍ幅（約１０μｍは隣接するカラーフィルター層に重畳する）で印刷して形成されたものである。
　【００３７】
　【発明の効果】
　請求項１〜３に係る発明によれば、
透明基板の液晶物質と対向する面側に、カラーフィルター層／光散乱層／透明電極が、この順に並んでおり、光散乱層がカラーフィルター層より液晶物質に近接して配置されており、しかも、
また、配向欠陥を防止した高品質の画面表示が広い視野角で可能になる。さらにまた、微粒子同士の凝集を防止して透明樹脂内に一様に微粒子状態を維持して微粒子を分散させることで、画面表示全体の視野角を均一に増大させることが可能になるという効果を有する。
　【００３８】
　従って、反射型液晶表示装置を製造する際の工程が簡略化されるため、生産効率と収率が著しく向上する効果を有している。
【図面の簡単な説明】
　【図１】
　実施例１に係る観察者側電極板の断面図。
　【図２】
　
従来例に係る液晶表示装置の断面図。
　【図３】
　
従来例に係る背面電極板の断面図。
　【図４】
　従来例に係る
背面電極板
　【図５】
　従来例に係る
液晶表示装置
　【符号の説明】
　１１　　　　　　　　ガラス基板
　１２　　　　　　　　光散乱層
　１３　　　　　　　　透明電極
　２１　　　　　　　　ガラス基板
　２３　　　　　　　　透明電極
　３１　　　　　　　　ガラス基板
　３２　　　　　　　　光散乱層
　３３　　　　　　　　透明電極
　２２Ｒ　　　　　　　光散乱層
　２２Ｇ　　　　　　　光散乱層
　２２Ｂ　　　　　　　光散乱層
　３４Ｒ　　　　　　　カラーフィルター層
　３４Ｇ　　　　　　　カラーフィルター層
　３４Ｂ　　　　　　　カラーフィルター層
【図面】